(57)【要約】【課題】  椅子の背もたれに付設するハンガーをワンタッチで使用状態と不使用状態とに切り替えることができるとともに、背もたれの背部に大きく突出することがないハンガー装置を提供することを課題とする。【解決手段】  互に平行する２本の杆材５、５と、これら杆材の上端に取り付けられたハンガー６と、杆材の対向する側面の少なくとも下方部に相対向して形成された係合溝７１、７１と背もたれ４の背部に設けられ杆材を挿通支持する受部８と、左右の杆材間に位置して受部内に抱持され左右外面に前記係合溝に係合して杆材を係止する係止突部９、９を有する係止具１０とを備え、杆材を上下方向に移動させたとき係止突部を押しのけて移動し、係止突部が係合溝に係合したときハンガーが背もたれの上方に突出して使用状態に保持されるようにしたものである。【選択図】  図３
2005168748.tif 000002
【特許請求の範囲】
【請求項１】
互に平行する２本の杆材と、これら杆材の上端に取り付けられたハンガーと、前記杆材の対向する側面の少なくとも下方部に相対向して形成された係合溝と、背もたれの背部に設けられ前記２本の杆材を挿通支持する受部と、前記左右の杆材間に位置して前記受部内に抱持され左右外面に前記係合溝に弾性的に係合して杆材を係止する係止突部を有する係止具とを備え、前記杆材を上下方向に移動させたとき前記係止具の係止突部を押しのけて移動し、前記係止突部が前記係合溝に係合したとき前記ハンガーが背もたれの上方に突出した位置に保持されるようにしたことを特徴とする椅子におけるハンガー装置。
【請求項２】
前記係合溝は、杆材の上方部および下方部の２箇所に設け、ハンガーが背もたれの上方に突出した位置と背もたれの上端より下降した位置とで前記係止具により杆材が係止されるようになされている請求項１記載の椅子におけるハンガー装置。
【請求項３】
前記杆材は、１本の棒材を縦長Ｕ字状に屈曲して形成されている請求項１または２記載の椅子におけるハンガー装置。
【請求項４】
前記係止具は、弾性材により正面視略Ｖ字状に形成され、その各辺部の先端部外面に係止突部が形成されている請求項１〜３のいずれか１項記載の椅子におけるハンガー装置。
【請求項５】
前記ハンガーは、左右対称に延びるアームと、左右方向中央部下面に設けられ前記左右の杆材の上端のハンガー挿着部が挿着される挿着穴とを有し、この挿着穴には前記杆材に形成された凹部に係着される抜け止め用ノッチを有している請求項１〜４のいずれか１項記載の椅子におけるハンガー装置。
【請求項６】
前記受部は、椅子の背もたれの背面に固着されるベースと、このベースに固定される支持枠と、この支持枠により保持され左右の杆材を摺動可能に抱持する抱持部材とを有し、この抱持部材内に前記係止具が装着されている請求項１〜５のいずれか１項記載の椅子におけるハンガー装置。
【発明の詳細な説明】
【技術分野】
【０００１】
本発明は、椅子の背もたれの背部に設けられ、ジャケット等の衣服を掛けるためのハンガー装置に関する。
【背景技術】
【０００２】
事務用椅子などにおいて、就務中に上衣（ジャケット）を脱いだときその上衣を椅子の背もたれに掛けておけるようにするハンガー装置を備えた椅子がある。
【０００３】
上記ハンガー装置のハンガー部分は、上衣を掛けたときその裾が床に接触しない高さに設ける必要があるが、このような位置にハンガー部分を設けると、上衣を掛けないときはハンガー部分が背もたれの上端から上方に突出しておかれることになってこのハンガー部分が邪魔になり、煩わしいものとなる。
【０００４】
そこで従来、ハンガーとして使用するときはハンガー部分を背もたれの上方に突出させ、不使用時には下降させて邪魔にならないようにハンガーを上下に移動させるようにしたものが提案されている（特許文献１参照）。
【０００５】
上記特許文献１に記載のものは、椅子の背もたれの背面上下方向中間位置に角筒状の固定座を設け、この固定座に上端にハンガーを有する支柱を上下動可能に挿通し、この支柱に一定のピッチをもって上下方向に多数の孔を列設し、前記固定座の背面から挿通する止め金を前記孔の一つに挿入することによりハンガーを所定の高さ位置に置くことができるようになされたものである。
【特許文献１】実用新案登録第３０８４４２１号公報
【発明の開示】
【発明が解決しようとする課題】
【０００６】
前記特許文献１に記載のハンガー装置では、ハンガーの高さを調節する際にその都度止め金を抜き外し、次いで支柱を所望の高さに調節したのち再び止め金を差し込んで支柱を固定する操作が必要であり、そのため高さ調節操作が面倒であるばかりでなく、背もたれの背面に固定座が大きく出っ張って椅子のデザインを損うとともに邪魔になる。また別部品としての止め金が必要となるので、その止め金を紛失したり、部品点数が多くなって構造も大掛りとなるなどの問題点がある。
【０００７】
本発明はこれらの点を解消することを課題としてなされたものである。
【課題を解決するための手段】
【０００８】
上記課題を解決する手段として本発明は、互に平行する２本の杆材と、これら杆材の上端に取り付けられたハンガーと、前記杆材の対向する側面の少なくとも下方部に相対向して形成された係合溝と、背もたれの背部に設けられ前記２本の杆材を挿通支持する受部と、前記左右の杆材間に位置して前記受部内に抱持され左右外面に前記係合溝に弾性的に係合して杆材を係止する係止突部を有する係止具とを備え、前記杆材を上下方向に移動させたとき前記係止具の係止突部を押しのけて移動し、前記係止突部が前記係合溝に係合したとき前記ハンガーが背もたれの上方に突出した位置に保持されるようにしたことにある。
【０００９】
請求項２は、前記係合溝を杆材の上方部と下方部との２箇所に設け、ハンガーが背もたれの上方に突出した位置（使用位置）と背もたれの上端より下降した位置（不使用位置）とで前記係止具により杆材が係止されるようにしたことを特徴としている。
【００１０】
請求項３は、前記杆材を１本の棒材を縦長Ｕ字状に屈曲して形成したことにある。
【００１１】
請求項４は、前記係止具を弾性を有する金属材、合成樹脂材により正面視略Ｖ字状に形成し、その各辺部の先端部外面に係止突部を形成したことを特徴とする。
【００１２】
請求項５は、前記ハンガーの構成を、左右対称に延びるアームと、左右方向中央部下面に設けられ前記左右の杆材の上端が挿着される挿着穴とを有し、この挿着穴には前記杆材に形成された凹部に係着される抜け止め用ノッチを有していることを特徴としている。
【００１３】
請求項６は、前記受部の構成を、椅子の背もたれの背面に固着されるベースと、このベースに固定される支持枠と、この支持枠により保持され左右の杆材を摺動可能に抱持する抱持部材とを有し、この抱持部材内に前記係止具を装着するようにしたことにある。
【発明の効果】
【００１４】
本発明によれば、ハンガーを平行２本の杆材の上端に設け、この杆材を背もたれの背部に設けた受部に上下方向摺動可能に挿通して支持し、かつこの受部内に装着した係止具の係止突部を杆材の対向側面に相対応して形成した係合溝に係合することによりその係合位置で杆材を留め置くようにしたので、ハンガを使用位置と不使用位置とにワンタッチで切り替えることができ、その都度止め金の差し替え等の操作上の煩わしさがなく、簡便に使用することができる。
【００１５】
また受部は杆材を摺動的に挿通支持するだけであるから、背もたれの背面に大きく突出することがなく、椅子のデザインを損なうことがないとともに外観上もさほど太くない２本の杆材が存在するのみであるから椅子のデザイン上違和感を与えることもない。
【００１６】
請求項２によれば、ハンガーを下降させて格納しておくときも杆材が係止されるので、ハンガーが乱りに上下に動いてしまうことがなく、安定した状態で不使用状態におくことができる。
【００１７】
請求項３によれば、１本の棒材を縦長Ｕ字状に屈曲させることにより平行２本の杆材とすることができるので、製造が容易であるばかりでなく下端の屈曲部が上方への抜け止め機能を果すことができ、杆材に特別な抜け止め手段を設ける必要がなく、デザイン上もすっきりとしたものとすることができる。
【００１８】
請求項４によれば、杆材を所定の位置に係止する係止具を１ピースで構成することができるので、構造が至ってシンプルにでき、製作も容易で安価に得られる利点がある。
【００１９】
請求項５によれば、ハンガーを杆材の上端に圧入するだけで取り付けることができるので、ハンガーのデザインを任意に選定することができ、同一構造の椅子に対し複数種（色違い等）のハンガーを用意すれば、ニーズに応じて所望のデザインのハンガー付き椅子として提供することができ、また杆材が上方へすり抜けることを防止できる。
【００２０】
さらに請求項６によれば、杆材を上下摺動自在に挿通支持する受部をよりコンパクトに構成することができるとともに確実な作動をなさしめることができる。
【発明を実施するための最良の形態】
【００２１】
図１、図２は本発明を適用した椅子の一形態の主要部の背後から見た斜視図を示し、図１はハンガー不使用時、図２はハンガー使用時の状態を示しており、図３〜図５は本発明によるハンガー装置１の一実施形態の詳細を示している。
【００２２】
上記の椅子は、脚柱２により回転自在に支持される座部３と、この座部３の後部に後傾自在に立ち上がる背もたれ４とを有する事務用椅子であり、本発明によるハンガー装置１はこの背もたれ４の背部に設けられる。
【００２３】
前記ハンガー装置１の主要構成は、図３に詳細を示すように、互に平行する２本の杆材５、５と、これら杆材５、５の上端に取り付けられたハンガー６と、前記杆材５、５の対向する側面の上下部に相対向して形成された係合溝７１、７１および７２、７２と、前記背もたれ４の背面に設けられ前記杆材５、５を上下摺動可能に挿通して支持する受部８と、前記係合溝７１、７１または７２、７２に弾性的に係脱し、杆材５、５をいずれかの係合位置に係止する係止突部９、９を有する係止具１０とからなっている。
【００２４】
上記係合溝７１、７２は、図４に拡大断面図を示すように杆材５の側面を切削して水平方向の溝とすることにより構成されている。
【００２５】
なお、図３においては、作図上受部８が上下２箇所に記載されているが、これは杆材５、５と受部８とを相対的に移動させた状態として示しているものであり、実線図示位置Ａの受部８と杆材５、５との関係がハンガー上昇時、鎖線図示位置Ｂの受部８と杆材５、５との関係がハンガー下降時の状態を示している。
【００２６】
図示の実施形態における杆材５、５は、無空の金属棒、合成樹脂棒、中空棒等の丸棒材を縦長Ｕ字状に屈曲して形成した場合を示しており、その上端部は若干外側方へ傾斜する傾斜部５ａ、５ａを経て直び垂直なハンガー挿着部５ｂ、５ｂとされている。
【００２７】
前記係止具１０は、図３にみられるように、弾性に富む金属、または合成樹脂により正面視略Ｖ字状に形成されたもので、その各辺部１０ａ、１０ａの先端部外面に前記係合溝７１、７２に係着される係止突部９、９が形成されている。
【００２８】
なお、上記係止のための弾性付与手段としては、前記のように係止具１０自体の弾性によるほか、係止突部がバネにより出没するクリックストップ構造としてもよい。
【００２９】
前記ハンガー６は、図３に半部を断面としかつ一部を省略して示すように、左右対称に延びるアーム６ａ、６ａを有し、その左右方向中央位置には前記杆材５、５の上端のハンガー挿着部５ｂ、５ｂを可及的密に挿入し得るハンガー挿着穴１１（一方のみが示されている）が下向きに開口して設けられている。
【００３０】
上記ハンガー挿着穴１１の内面には、前記ハンガー挿着部５ｂの側面に形成された凹部５ｃに係着される抜け止め用ノッチ１２が形成されており、前記挿着穴１１にハンガー挿着部５ｂを強く押し込むことによりノッチ１２が凹部５ｃに係合して乱りに抜けないように取り付けられる。なお符号１３は、杆材５が上方へすり抜けることを防止するとともにハンガー６の製造上生じる孔を塞ぐ化粧用カバーである。
【００３１】
前記受部８は、図５に水平断面を示すように、背もたれ４の骨格部材に設けられるベース１４と、このベース１４に固定され中央部が凹字状に屈曲する凹陥部１５ａを有する支持枠１５と、この支持枠１５の凹陥部１５ａ内にあって前記ベース１４との間で保持され前記杆材５、５を摺動自在に抱持する断面長円形状の抱持部材１６とを有し、これらはカバー１７により被覆されている。
【００３２】
前記抱持部材１６に挿通する２本の杆材５、５の間に形成された空間部分１７に、図３にみられるように前記係止具１０が納められ、この空間部分１７内でその辺部１０ａ、１０ａが搾む方向に揺動することができるようになっている。
【００３３】
図２において符号１８はハンガー６に掛けたジャケット等の衣服を示す。
【００３４】
次に上記実施形態の作用を説明する。
【００３５】
図１の不使用状態からハンガー６に手を掛けて上方へ引き上げると、杆材５、５の上部の係合溝７２、７２に係合していた係止突部９、９を押しのけて上昇し、図２のようにハンガー６が背もたれ４の上端より上方に突出した高さまで引き上げると、杆材５、５の下部の係合溝７１、７１が係止具１０の係止突部９、９に係合して杆材５、５がその位置に係止され、ハンガー６は使用状態におかれる（図３のＡの状態）。
【００３６】
このようにすることによりハンガー６にジャケット等の衣服１８を掛けておくことができ、その際に衣服１８の裾が床に接することがない。
【００３７】
ハンガー６を使用しないときは、ハンガー６の上面を下方へ押圧すれば、杆材５、５の下部の係合溝７１、７１が係止具１０の係止突部９、９を押しのけて下降し、ハンガー６が背もたれ４の背部に隠れた格納位置に至ったとき杆材５、５の上部の係合溝７２、７２が係止具１０の係止突部９、９に係合して杆材５、５がその位置に係止され、格納状態が維持される。その状態を図１および図３のＢで示している。
【００３８】
なお上記のようにハンガー６を格納状態としたとき、その状態に拘束しておく必要がない場合には、杆材５、５の上部の係合溝７２、７２を省略し、下部の係合溝７１、７１のみを設ければよい。
【００３９】
また杆材５、５を１本の棒材を屈曲して形成することが製造面、デザイン面で好ましいが、独立した２本の杆材の下端を結合部材により結合して構成するようにしてもよい。
【００４０】
さらに受部８の構造に関しては、杆材５、５を摺動自在に挿通支持し得るとともにその杆材５、５間に係止具１０を抱持し得る構造であれば図示の形態によらずともよい。
【図面の簡単な説明】
【００４１】
【図１】本発明によるハンガー装置を適用した椅子の要部を示し、ハンガー不使用時の状態を示す斜視図。
【図２】同、ハンガー使用時の状態を示す斜視図。
【図３】本発明によるハンガー装置の一部を断面表示した正面図。
【図４】図３における杆材の係合溝部分の拡大断面図。
【図５】同、受部の水平断面図。
【符号の説明】
【００４２】
１  ハンガー装置
４  背もたれ
５  杆材
５ｂ  ハンガー挿着部
６  ハンガー
７１、７２  係合溝
８  受部
９  係止突部
１０  係止具
１４  ベース
１５  支持枠
１６  抱持部材
【図１】
2005168748.tif 000003
【図２】
2005168748.tif 000004
【図３】
2005168748.tif 000005
【図４】
2005168748.tif 000006
【図５】
2005168748.tif 000007